(57)【要約】【課題】本発明は、コストが低く、且つプリント回路基板の空間利用率を高めることができる指示ランプ制御装置を提供することを目的とする。【解決手段】本発明に係る指示ランプ制御装置は、プリント回路基板のバスインターフェースに接続されるバスコネクターと、前記バスコネクターによって前記プリント回路基板のバスインターフェースから送信するバス信号を受信し、且つ前記バス信号をデジタルＩ/Ｏ信号に変換するバス信号変換ユニットと、前記バス信号変換ユニットのアドレスを設定して、前記バス信号に対応するアドレスを有する前記バス信号変換ユニットを制御するアドレス配置ユニットと、前記デジタルＩ/Ｏ信号を受信し、且つ前記デジタルＩ/Ｏ信号に基づいて対応するデータを表示する表示ユニットと、を備える。【選択図】図１
2012027906.tif 000002
【特許請求の範囲】
【請求項１】
プリント回路基板のバスインターフェースに接続されるバスコネクターと、
前記バスコネクターによって前記プリント回路基板のバスインターフェースから送信するバス信号を受信し、且つ前記バス信号をデジタルＩ/Ｏ信号に変換するバス信号変換ユニットと、
前記バス信号変換ユニットのアドレスを設定して、前記バス信号に対応するアドレスを有する前記バス信号変換ユニットを制御するアドレス配置ユニットと、
前記デジタルＩ/Ｏ信号を受信し、且つ前記デジタルＩ/Ｏ信号に基づいて対応するデータを表示する表示ユニットと、
を備えることを特徴とする指示ランプ制御装置。
【請求項２】
前記バス信号変換ユニットは、バス信号変換器を備え、
前記バス信号変換器のクロック信号ピン及びデータ信号ピンは、前記バスコネクターのクロック信号ピン及びデータ信号ピンにそれぞれに接続され、
前記バス信号変換器のデジタルＩ/Ｏ信号出力ピンは、前記表示ユニットの信号制御ピンに接続されることを特徴とする請求項１に記載の指示ランプ制御装置。
【請求項３】
前記バス信号変換器は、前記アドレス配置ユニットに接続される複数のアドレスピンを備え、
前記アドレス配置ユニットは、複数の前記アドレスピンの電位状態を選択的に制御することを特徴とする請求項２に記載の指示ランプ制御装置。
【請求項４】
前記アドレス配置ユニットは、前記バス信号変換器のアドレスピンの数量に等しいスイッチ及びレジスターを備え、
各々のスイッチは、１つのキャパシターに直列連結してから電圧源と接地との間に接続され、
各々のスイッチと該スイッチに直列連結されるキャパシターとの間のノードは、前記バス信号変換器の対応するアドレスピンに接続されることを特徴とする請求項３に記載の指示ランプ制御装置。
【発明の詳細な説明】
【技術分野】
【０００１】
本発明は、制御装置に関するものであり、特にプリント回路基板に用いられる指示ランプ制御装置に関するものである。
【背景技術】
【０００２】
コンピューターのフロントパネルには、数字、文字又は符号を表示することにより、コンピューターの作動状態（例えば、コンピューターのハードディスクドライブの作動状態）を示すために用いられる発光ダイオード指示ランプが設けられる。前記指示ランプは、マイクロプロセッサ又はプログラム可能論理回路（Ｃｏｍｐｌｅｘ  Ｐｒｏｇｒａｍｍａｂｌｅ  Ｌｏｇｉｃ  Ｄｅｖｉｃｅ，ＣＰＬＤ）によって駆動される。
【発明の概要】
【発明が解決しようとする課題】
【０００３】
しかし、駆動チップは、高価であり、且つハードウェアリソースを多く占用するので、プリント回路基板の空間利用率が低くなる。
【０００４】
本発明の目的は、前記課題を解決し、コストが低く、且つプリント回路基板の空間利用率を高めることができる指示ランプ制御装置を提供することである。
【課題を解決するための手段】
【０００５】
本発明に係る指示ランプ制御装置は、プリント回路基板のバスインターフェースに接続されるバスコネクターと、前記バスコネクターによって前記プリント回路基板のバスインターフェースから送信するバス信号を受信し、且つ前記バス信号をデジタルＩ/Ｏ信号に変換するバス信号変換ユニットと、前記バス信号変換ユニットのアドレスを設定して、前記バス信号に対応するアドレスを有する前記バス信号変換ユニットを制御するアドレス配置ユニットと、前記デジタルＩ/Ｏ信号を受信し、且つ前記デジタルＩ/Ｏ信号に基づいて対応するデータを表示する表示ユニットと、を備える。
【発明の効果】
【０００６】
本発明の指示ランプ制御装置は、構造が簡単であり、各種のプリント回路基板に接続することができる。詳しい情報を表示するために、１個以上の前記指示ランプ制御装置をプリント回路基板に接続することができる。コスト面から見ると、前記指示ランプ制御装置をサーバー又はコンピューターの１２Ｃ/ＳＭバスに接続することができ、高価な専用の制御装置を必要としなく、プリント回路基板の空間も節約することができる。
【図面の簡単な説明】
【０００７】
【図１】本発明の実施形態に係る指示ランプ制御装置の回路図である。
【発明を実施するための形態】
【０００８】
以下、図面を参照して、本発明の実施形態について説明する。
【０００９】
図１を参照すると、本発明の実施形態に係る指示ランプ制御装置１００は、バスコネクター１０と、バス信号変換ユニット２０と、アドレス配置ユニット３０と、表示ユニット４０と、を備える。
【００１０】
前記バスコネクター１０は、プリント回路基板のバスインターフェース、例えば、コンピューターのマザーボードの１２Ｃ（Ｉｎｔｅｒ−Ｉｎｔｅｇｒａｔｅｄ  Ｃｉｒｃｕｉｔ）バスインターフェース又はＳＭ（Ｓｙｓｔｅｍ  Ｍａｎａｇｅｍｅｎｔ）バスインターフェースに接続するために用いられる。前記バスコネクター１０は、クロック信号ピン１、データ信号ピン２、グラウンドピン３及び電圧ピン４を備える。前記クロック信号ピン１及び前記データ信号ピン２は前記バス信号変換ユニット２０に接続され、前記グラウンドピン３は接地し、前記電圧ピン４は電圧源ＶＣＣに接続される。
【００１１】
前記バス信号変換ユニット２０は、前記バスコネクター１０からのバス信号をデジタルＩ/Ｏ信号に変換して前記表示ユニット４０を駆動するために用いられるバス信号変換器Ｕを備える。本実施形態において、前記バス信号変換器Ｕは、１２Ｃ/ＳＭバス信号変換制御チップであり、その類型はＰＣＡ９５５５ＰＷであり、他の実施形態において、実際の需要によって他の類型のバス信号変換制御チップを選択することができる。前記バス信号変換器Ｕは、電圧ピンＶＤＤ、クロック信号ピンＳＣＬ、データ信号ピンＳＤＡ、グラウンドピンＶＳＳ、第一グループデジタルＩ/Ｏ信号出力ピンＩ００〜Ｉ０７、第二グループデジタルＩ/Ｏ信号出力ピンＩ１０〜Ｉ１７及び３つのアドレスピンＡ０〜Ａ２を備える。前記バス信号変換ユニット２０は、キャパシターＣ１及び２つのレジスターＲ４、Ｒ５をさらに備える。前記電圧ピンＶＤＤは電圧源ＶＣＣに接続され、前記キャパシターＣ１は前記電圧ピンＶＤＤと接地との間に接続され、前記レジスターＲ４は前記電圧源ＶＣＣと前記データ信号ピンＳＤＡとの間に接続され、前記レジスターＲ５は前記電圧源ＶＣＣと前記クロック信号ピンＳＣＬとの間に接続される。前記クロック信号ピンＳＣＬは前記バスコネクター１０のクロック信号ピン１に接続され、前記データ信号ピンＳＤＡは前記バスコネクター１０のデータ信号ピン２に接続される。３つの前記アドレスピンＡ０〜Ａ２は、前記アドレス配置ユニット３０に接続される。
【００１２】
前記アドレス配置ユニット３０は、３つのレジスターＲ１〜Ｒ３及び３つのスイッチＫ１〜Ｋ３を備える。前記アドレス配置ユニット３０のレジスター及びスイッチの数量は、前記バス信号変換器Ｕのアドレスピンの数量と同じである。前記レジスターＲ１及び前記スイッチＫ１は、前記電圧源ＶＣＣと接地との間に直列連結され、且つ前記レジスターＲ１と前記スイッチＫ１との間のノードは前記バス信号変換器ＵのアドレスピンＡ２に接続される。前記レジスターＲ２及び前記スイッチＫ２は、前記電圧源ＶＣＣと接地との間に直列連結され、且つ前記レジスターＲ２と前記スイッチＫ２との間のノードは前記バス信号変換器ＵのアドレスピンＡ１に接続される。前記レジスターＲ３及び前記スイッチＫ３は、前記電圧源ＶＣＣと接地との間に直列連結され、且つ前記レジスターＲ３と前記スイッチＫ３との間のノードは前記バス信号変換器ＵのアドレスピンＡ０に接続される。前記アドレス配置ユニット３０は、前記バス信号変換器Ｕのアドレスピン信号を設定するために用いられ、さらに前記バス信号変換器Ｕのアドレスを設定する。
【００１３】
前記表示ユニット４０は、２つのＬＥＤ指示ランプＬＥＤ１及びＬＥＤ２を備える。前記ＬＥＤ１及び前記ＬＥＤ２の電源ピンは、全て前記電圧源ＶＣＣに接続される。前記ＬＥＤ１の信号制御ピンＡ〜ＤＰは、前記バス信号変換器Ｕの第一グループデジタルＩ/Ｏ信号出力ピンＩ００〜Ｉ０７にそれぞれに接続される。前記ＬＥＤ２の信号制御ピンＡ〜ＤＰは、前記バス信号変換器Ｕの第二グループデジタルＩ/Ｏ信号出力ピンＩ１０〜Ｉ１７にそれぞれに接続される。前記表示ユニット４０は、前記バス信号変換器ＵからのデジタルＩ/Ｏ信号を受信して対応するデータを表示する。
【００１４】
前記指示ランプ制御装置１００を応用する場合、前記バスコネクター１０をプリント回路基板のバスインターフェースに接続する。１つの前記指示ランプ制御装置１００を前記プリント回路基板に接続する場合、前記アドレス配置ユニット３０のスイッチを設置することを必要としなく、前記プリント回路基板は、そのバスインターフェースによって前記バス信号変換器Ｕのクロック信号ピンＳＣＬ及びデータ信号ピンＳＤＡにクロック信号及びデータ信号を送信し、前記バス信号変換器Ｕは、受信したクロック信号及びデータ信号を対応するデジタルＩ/Ｏ信号に変換し、該デジタルＩ/Ｏ信号によって前記ＬＥＤ指示ランプＬＥＤ１及びＬＥＤ２を制御する。もし複数の前記指示ランプ制御装置１００が前記プリント回路基板の複数のバスインターフェースに接続される場合、前記アドレス配置ユニット３０によって各々の前記指示ランプ制御装置１００のバス信号変換器Ｕのアドレスを設定し、且つ各々の前記指示ランプ制御装置１００のバス信号変換器Ｕのアドレスは異なり、従って前記プリント回路基板は複数の前記指示ランプ制御装置１００を制御し、複数の前記指示ランプ制御装置１００によってさらに多い情報を表示する。
【００１５】
前記指示ランプ制御装置１００は、構造が簡単であり、各種のプリント回路基板に接続することができる。詳しい情報を表示するために、１個以上の前記指示ランプ制御装置１００をプリント回路基板に接続することができる。コスト面から見ると、前記指示ランプ制御装置１００をサーバー又はコンピューターの１２Ｃ/ＳＭバスに接続することができ、高価な専用の制御装置を必要としなく、プリント回路基板の空間も節約することができる。
【００１６】
以上、本発明を実施例に基づいて具体的に説明したが、本発明は上述の実施例に限定されるものではなく、その要旨から逸脱しない範囲において種々の変更が可能であることは勿論であって、本発明の技術的範囲は以下の特許請求の範囲から決まる。
【符号の説明】
【００１７】
１  クロック信号ピン
２  データ信号ピン
３  グラウンドピン
４  電圧ピン
１０  バスコネクター
２０  バス信号変換ユニット
３０  アドレス配置ユニット
４０  表示ユニット
１００  指示ランプ制御装置
Ａ０、Ａ１、Ａ２  アドレスピン
Ａ、Ｂ、Ｃ、Ｄ、Ｅ、Ｆ、Ｇ、ＤＰ  信号制御ピン
Ｃ１  キャパシター
Ｋ１、Ｋ２、Ｋ３  スイッチ
Ｉ００〜Ｉ０７  第一グループデジタルＩ/Ｏ信号出力ピン
Ｉ１０〜Ｉ１７  第二グループデジタルＩ/Ｏ信号出力ピン
ＬＥＤ１、ＬＥＤ２  ＬＥＤ指示ランプ
Ｒ１、Ｒ２、Ｒ３、Ｒ４、Ｒ５  レジスター
ＳＣＬ  クロック信号ピン
ＳＤＡ  データ信号ピン
Ｕ  バス信号変換器
ＶＣＣ  電圧源
ＶＤＤ  電圧ピン
ＶＳＳ  グラウンドピン
【図１】
2012027906.tif 000003